(57)【要約】【課題】プレゼンテーションを行なう人物が投影範囲内に入る場合を容易に判断して適切な防眩処理を実行する。【解決手段】画像信号を入力する入力部11と、光源部16が発する光を用い、入力部11で入力した画像信号に対応した画像を投影する投影系13〜18と、投影系13〜18で画像を投影する範囲内に存在する外部装置から輝度の低下に関する情報を受信するアンテナ26、ポインタ通信部24と、受信した情報が投影系13〜18で投影する画像の輝度の低下を指示するものか否かを判定し、その判定結果に基づいて投影系13〜18で投影する画像の輝度を低下させるＣＰＵ19とを備える。【選択図】図２
2013195837.tif 000002
【特許請求の範囲】
【請求項１】
外部の投影装置から照射される光の照度を測定する測定手段と、
上記測定手段で測定した照度が、予め設定された値を超えているか否かを判断する判断手段と、
上記判断手段で判断した判断結果を上記投影装置に対して送信する送信手段と
を具備したことを特徴とする投影補助装置。
【請求項２】
上記送信手段は、上記判断手段が予め設定された値を超えていると判断した場合に上記判断結果を送信することを特徴とする請求項１記載の投影補助装置。
【請求項３】
上記判断手段により上記測定手段で測定した照度が予め設定された値を超えていないと判断した場合に、上記測定手段で測定した照度に関するより詳細な度合いを検出する検出手段
をさらに具備し、
上記送信手段は、上記検出手段で検出した照度に関するより詳細な度合いを示す照度情報を送信する
ことを特徴とする請求項１または２記載の投影補助装置。
【請求項４】
上記検出手段による検出の実行タイミングか否かを判定するタイミング判定手段
をさらに具備し、
上記検出手段は、上記タイミング判定手段の判定にしたがって照度に関するより詳細な度合いを検出する
ことを特徴とする請求項３記載の投影補助装置。
【請求項５】
上記送信手段は、上記検出手段が上記タイミング判定手段での判定にしたがって照度に関するより詳細な度合いを検出した場合に、当該照度情報を送信することを特徴とする請求項４記載の投影補助装置。
【請求項６】
上記タイミング判定手段は、予め設定された周期に基づいて上記検出手段による検出の実行タイミングか否かを判定することを特徴とする請求項４または５記載の投影補助装置。
【請求項７】
上記判断手段による判断の実行条件を設定する第１の設定手段
をさらに具備し、
上記判断手段は、上記第１の設定手段が設定した条件に合致する場合に上記測定手段で測定した照度が、予め設定された値を超えているか否かを判断する
ことを特徴とする請求項１乃至６何れか記載の投影補助装置。
【請求項８】
上記検出手段による判断の実行条件を設定する第２の設定手段
をさらに具備し、
上記検出手段は、上記第２の設定手段が設定した条件に合致する場合に上記測定手段で測定した照度に関するより詳細な度合いを判断する
ことを特徴とする請求項３乃至６何れか記載の投影補助装置。
【請求項９】
画像信号を入力する入力手段と、
光源が発する光を用い、上記入力手段で入力した画像信号に対応した画像を投影する投影手段と、
外部装置から輝度の低下に関する情報を受信する受信手段と、
上記受信手段で受信した情報が上記投影手段で投影する画像の輝度の低下を指示するものか否かを判定する低下判定手段と、
上記低下判定手段での判定結果に基づいて上記投影手段で投影する画像の輝度を低下させる輝度低下手段と
を具備したことを特徴とする投影装置。
【請求項１０】
上記輝度低下手段は、上記投影手段の光源の発光輝度を低下させることを特徴とする請求項９記載の投影手段。
【請求項１１】
上記輝度低下手段は、上記投影手段で投影する画像の階調値により輝度を低下させることを特徴とする請求項９または１０記載の投影手段。
【請求項１２】
上記受信手段で受信した情報から上記投影手段で画像を投影する範囲内の照度に対応した正の相関関係に基づいて上記投影手段で投影する画像の輝度を調整する輝度調整手段
をさらに具備したことを特徴とする請求項９乃至１１何れか記載の投影装置。
【請求項１３】
上記輝度調整手段は、上記投影手段で投影する画像の輝度を段階的に調整することを特徴とする請求項１２記載の投影装置。
【請求項１４】
上記輝度調整手段は、上記投影手段の光源の発光輝度を調整することを特徴とする請求項１２または１３記載の投影手段。
【請求項１５】
上記輝度調整手段は、上記投影手段で投影する画像の階調値により輝度を調整することを特徴とする請求項１２乃至１４何れか記載の投影手段。
【請求項１６】
上記輝度低下手段による投影画像の輝度の低下の有効または無効を設定する第１の設定手段
をさらに具備したことを特徴とする請求項９乃至１５何れか記載の投影装置。
【請求項１７】
上記輝度調整手段による投影画像の輝度の調整の有効または無効を設定する第２の設定手段
をさらに具備したことを特徴とする請求項１２乃至１５何れか記載の投影装置。
【請求項１８】
画像信号を入力する入力手段、
光源が発する光を用い、上記入力手段で入力した画像信号に対応した画像を投影する投影手段、
外部装置から輝度の低下に関する情報を受信する受信手段、
上記受信手段で受信した情報が上記投影手段で投影する画像の輝度の低下を指示するものか否かを判定する低下判定手段、及び
上記低下判定手段での判定結果に基づいて上記投影手段で投影する画像の輝度を低下させる輝度低下手段
を備えた投影装置と、
上記投影装置から照射される光の照度を測定する測定手段、
上記測定手段で測定した照度が、予め設定された値を超えているか否かを判断する判断手段、及び
上記判断手段で判断した判断結果を上記投影装置に対して送信する送信手段
を備えた投影補助装置と
を有したことを特徴とする投影システム。
【発明の詳細な説明】
【技術分野】
【０００１】
本発明は、特に高輝度の光源を用いるプロジェクタ等に好適な投影補助装置、投影装置及び投影システムに関する。
【背景技術】
【０００２】
投写型表示装置で、ディスプレイ領域の人物が位置する領域の映像光の明るさを制御して、ディスプレイ領域に位置する人物の目に対する映像光の入射量を低減するようにした技術が考えられている。（例えば、特許文献１）
【先行技術文献】
【特許文献】
【０００３】
【特許文献１】特開２０００−３０５４８１号公報
【発明の概要】
【発明が解決しようとする課題】
【０００４】
上記特許文献に記載された技術では、カメラで撮像した画像から人物の位置を検出し、その検出結果に基づいてディスプレイ領域で人物が位置する部分の制御を行なうものとしている。
【０００５】
しかしながら、撮像手段を用いて画像認識をさせる必要があり、その認識精度が悪いとユーザの目を保護するという所望の動作をさせられないという問題があった。
【０００６】
また、映像を投写する側でディスプレイ領域中の人物の位置を検出する場合、装置から出射する映像自体の明るさや、装置と人物との距離、照明環境等によっても人物側の感じる明るさは変化する。そのため、実際にディスプレイ領域にいる人物が映像を眩しく感じるか、あるいはメニュー悪影響を与えるかという度合いは当該人物でなければ判断できない場合もある。
【０００７】
本発明は上記のような実情に鑑みてなされたもので、その目的とするところは、人物が投影範囲内に入る場合を容易に判断して適切な防眩処理を実行することが可能な投影補助装置、投影装置及び投影システムを提供することにある。
【課題を解決するための手段】
【０００８】
本発明の一態様は、画像信号を入力する入力手段と、光源が発する光を用い、上記入力手段で入力した画像信号に対応した画像を投影する投影手段と、上記投影手段で画像を投影する範囲内に存在する外部機器から輝度の低下に関する情報を受信する受信手段と、上記受信手段で受信した情報が上記投影手段で投影する画像の輝度の低下を指示するものか否かを判定する低下判定手段と、上記低下判定手段での判定結果に基づいて上記投影手段で投影する画像の輝度を低下させる輝度低下手段とを具備したことを特徴とする。
【発明の効果】
【０００９】
本発明によれば、人物が投影範囲内に入る場合を容易に判断して適切な防眩処理を実行することが可能となる。
【図面の簡単な説明】
【００１０】
【図１】本発明の一実施形態に係るプレゼンテーション環境で使用される投影システムの概略構成を示す図。
【図２】同実施形態に係るデータプロジェクタ装置内部の機能構成を示すブロック図。
【図３】同実施形態に係るポイントペン内部の機能構成を示すブロック図。
【図４】同実施形態に係るデータプロジェクタ装置側の電源投入と画像の投影、輝度調整を含む処理内容を示すフローチャート。
【図５】同実施形態に係るポイントペン側の処理内容を示すフローチャート。
【図６】同実施形態に係る投影補助装置の別の例を示す図。
【発明を実施するための形態】
【００１１】
以下本発明をＤＬＰ（登録商標）方式のデータプロジェクタ装置を含む投影システムでプレゼンテーションを行なう場合の一実施形態について図面を参照して説明する。  
図１は、上記投影システムの概略構成を示す。同図で１がデータプロジェクタ装置、２が上記データプロジェクタ装置１専用のポイントペン（投影補助装置）であり、データプロジェクタ装置１とポイントペン２とは例えばＢｌｕｅｔｏｏｔｈ（登録商標）技術によりクラス２（半径約１０［ｍ］）の範囲内で無線接続される。
【００１２】
データプロジェクタ装置１は外部接続される機器、あるいはＵＳＢメモリ等に記録された画像ファイルから入力する画像信号に応じた画像を、投影対象のスクリーンＳＣに投影する。
【００１３】
データプロジェクタ装置１が投影する画像中には、本来の画像とは別に座標検出用のグラデーション画像が含まれ、ポイントペン２はデータプロジェクタ装置１からの指示タイミングでスクリーンＳＣの向けた位置に対する照度（輝度）を検出することによりポイント位置を検出可能となる。
【００１４】
上記座標検出用の画像は、例えば画像の左端から右端に向けてフル階調からゼロ階調に変化するグラデーション画像、これを反転して右端から左端に向けてフル階調からゼロ階調に変化するグラデーション画像、上端から下端に向けてフル階調からゼロ階調に変化するグラデーション画像、これを反転して下端から上端に向けてフル階調からゼロ階調に変化するグラデーション画像の計４画面を１組として構成され、人間の残像上では相殺されて本来の投影画像にはほとんど影響を与えないようになっている。
【００１５】
ポイントペン２は、詳しくは後述するが、内部に受光系及び上記位置座標の算出回路を備え、投影画像中の任意の位置をポイントとすることにより、そのポイントを向けた位置の照度（輝度）を検出し、その時点でポイントペン２により指示している位置座標を算出してプロジェクタ１に送信する。
【００１６】
これを受けたデータプロジェクタ装置１は、例えば投影画像中の該当位置に図示する如くポインタマークＰＴを重ねて投影させる。
【００１７】
次に図２により上記データプロジェクタ装置１の概略機能構成を説明する。  
同図で１１は入力部であり、例えばビデオ入力端子、ＲＧＢ入力端子、ＶＧＡ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子などを備え、これらのいずれかの端子に与えられる画像信号に対し、必要に応じてデジタル化した後に、システムバスＳＢ１を介して画像変換部１３に送る。
【００１８】
また、１２はＵＳＢ（Ｕｎｉｖｅｒｓａｌ  Ｓｅｒｉａｌ  Ｂｕｓ）インタフェース（Ｉ／Ｆ）であり、Ｕｎｉｖｅｒｓａｌ  Ｓｅｒｉａｌ  Ｂｕｓ端子を備える。図示しないＵＳＢケーブルを用い、外部機器として例えばパーソナルコンピュータを接続した場合、データプロジェクタ装置１にはＵＳＢのアイソクロナス転送により静止画、動画や音声等のデジタルデータが入力可能となる。
【００１９】
しかるに、入力部１１またはＵＳＢインタフェース１２を介して入力した画像信号に対し、スケーラとも称される画像変換部１３が投影に適した所定のフォーマットの画像データに変換して投影処理部１４へ送る。
【００２０】
この際、ＯＳＤ（Ｏｎ  Ｓｃｒｅｅｎ  Ｄｉｓｐｌａｙ）用の各種動作状態を示すシンボル、上述したポインタマークＰＴ等の画像データも必要に応じて画像変換部１３が画像データに重畳加工し、加工後の画像データを投影処理部１４へ送る。
【００２１】
投影処理部１４は、内部に表示用のメモリ（ビデオメモリ）を有し、送られてきた画像データに応じて、所定のフォーマットに従ったフレームレート、例えば１２０［フレーム／秒］と色成分の分割数、及び表示階調数を乗算した、より高速な時分割駆動により、上記表示用のメモリに記憶したデータを用いて空間的光変調素子であるマイクロミラー素子１５を表示するべく駆動する。
【００２２】
このマイクロミラー素子１５は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して画像を表示することで、その反射光により光像を形成する。
【００２３】
このときマイクロミラー素子１５で表示する画像には、上述した座標検出用のグラデーション画像も含む。
【００２４】
一方で、光源部１６から時分割でＲ，Ｇ，Ｂの原色光を含む複数色の光が循環的に時分割で順次出射される。この光源部１６からの光が、ミラー１７で全反射して上記マイクロミラー素子１５に照射される。
【００２５】
そして、マイクロミラー素子１５での反射光で光源光の色に応じた光像が形成され、形成された光像が投影レンズ部１８を介して、投影対象となる図示しないスクリーンに投影表示される。
【００２６】
上記各回路の動作すべてをＣＰＵ１９が制御する。このＣＰＵ１９は、メインメモリ２０及びプログラムメモリ２１と直接接続される。メインメモリ２０は、例えばＳＲＡＭで構成され、ＣＰＵ１９のワークメモリとして機能する。プログラムメモリ２１は、電気的に書換可能な不揮発性メモリで構成され、ＣＰＵ１９が実行する動作プログラムや各種定型データ等を記憶する。ＣＰＵ１９は、上記メインメモリ２０及びプログラムメモリ２１を用いて、このデータプロジェクタ装置１内の制御動作を実行する。
【００２７】
上記ＣＰＵ１９は、操作部２２からのキー操作信号に応じて各種投影動作を実行する。  
この操作部２２は、データプロジェクタ装置１の本体に設けられるキー操作部と、このデータプロジェクタ装置１専用の図示しないリモートコントローラからの赤外光を受光する赤外線受光部とを含み、ユーザが本体のキー操作部またはリモートコントローラで操作したキーに基づくキー操作信号をＣＰＵ１９へ直接出力する。
【００２８】
上記ＣＰＵ１９はさらに、上記システムバスＳＢ１を介して音声処理部２３、ポインタ通信部２４とも接続される。音声処理部２３は、ＰＣＭ音源等の音源回路を備え、投影動作時に与えられる音声データをアナログ化し、スピーカ部２５を駆動して拡声放音させ、あるいは必要によりビープ音等を発生させる。
【００２９】
ポインタ通信部２４は、アンテナ２６を介して上記ポイントペン２と無線接続し、ポイントペン２から送られてくる座標情報、ポイントペン２に備えられるキーの操作信号、ポイントペン２の照度センサで測定したポイントペン２がある位置の照度に関する情報等を受信して上記ＣＰＵ１９へ送出する。
【００３０】
次に図３により上記ポイントペン２の概略機能構成を説明する。
【００３１】
同図で３１は受光レンズ部である。上記スクリーンＳＣにこの受光レンズ部３１を対向させた場合、そのスクリーンＳＣ上のスポット位置における光が受光レンズ部３１で捉えられ、受光センサ３２上で結像される。受光センサ３２の出力する受光信号は受光復調部３３に送られる。
【００３２】
このように、受光レンズ部３１、受光センサ３２により、指向性の強いセンサとなり、スクリーンＳＣ上のスポット位置における輝度を検出することができる。
【００３３】
受光復調部３３は、指示されたタイミングで受光センサ３２から送られてきた受光信号をデジタル化してその明るさ（輝度）に応じた信号に変換することで、受光レンズ部３１が対向していたスクリーンＳＣ上の投影画像内における２次元の位置座標を取得し、取得した位置座標データを、システムバスＳＢ２を介してＣＰＵ３４へ送出する。
【００３４】
このＣＰＵ３４は、メインメモリ３５及びプログラムメモリ３６と直接接続される。メインメモリ３５は、例えばＳＲＡＭで構成され、ＣＰＵ３４のワークメモリとして機能する。プログラムメモリ３６は、電気的に書換可能な不揮発性メモリで構成され、ＣＰＵ３４が実行する動作プログラムや各種定型データ等を記憶する。ＣＰＵ３４は、上記メインメモリ３５及びプログラムメモリ３６を用いて、このポイントペン２内の制御動作を実行する。
【００３５】
上記ＣＰＵ３４は、キー操作部３７からのキー操作信号に応じて各種ポイント動作を実行する。  
このキー操作部３７は、例えばこのポイントペン２の電源キー、クリック操作に使用するクリックキー、動作メニュー選択時にメニュー項目を選択するための番号キー等を含み、それらのキー操作に基づくキー操作信号をＣＰＵ３４へ直接出力する。
【００３６】
上記ＣＰＵ３４はさらに、上記システムバスＳＢ２を介して照度センサ３８及びプロジェクタ通信部４０とも接続される。  
照度センサ３８は、ユーザの把持により覆われることを考慮してこのポイントペン２の端部に２箇所、例えば先端の上記受光レンズ部３１開口部近傍、及びこれと反対側の尾端側に設けられ、上記データプロジェクタ装置１からの投光を受けてそれぞれその照度を検出するもので、検出結果の高い側の値を測定結果として上記ＣＰＵ３４へ送出する。
【００３７】
このように、照度センサ３８は、ポイントペン２の受光レンズ部３１のある先端が向けられている位置の輝度ではなく、ユーザによって持たれたポイントペン２が位置する環境の照度を検出するもので、上述の受光レンズ部３１、受光センサ３２と異なり、指向性のない（弱い）ものである。以後、照度センサ３８で検出された照度を単に、照度と呼ぶこととする。
【００３８】
プロジェクタ通信部４０は、アンテナ４１を介して上記データプロジェクタ装置１側と無線接続し、上記投影画像の位置座標データや上記照度センサ３８で検出、測定した照度に基づく処理結果の情報等をデータプロジェクタ装置１に向けて送信する。
【００３９】
次に上記実施形態の動作について説明する。  
まず図４を用いてデータプロジェクタ装置１側で実行される投影動作とポイントペン２から得た照度に関する情報に基づく輝度調整動作とについて説明する。
【００４０】
以下に示すデータプロジェクタ装置１側での動作はＣＰＵ１９の制御に基づいて実行される。ＣＰＵ１９はプログラムメモリ２１に記憶されている動作プログラムやデータを読出し、メインメモリ２０に展開して記憶させた上で該動作プログラムを実行する。
【００４１】
プログラムメモリ２１に記憶されている動作プログラム等は、このデータプロジェクタ装置１の製造工場出荷時にプログラムメモリ２１に記憶されていたものに加え、例えばこのデータプロジェクタ装置１のバージョンアップに際して、データプロジェクタ装置１を、上記ＵＳＢインタフェース１２を介して外部のパーソナルコンピュータ等と接続、あるいはバージョンアップ用のソフトウェアを格納したＵＳＢメモリをＵＳＢ端子に接続することにより外部から新たな動作プログラム等をインストールするものも含む。
【００４２】
図４は、電源投入と画像の投影、ポイントペン２からの照度に関する情報の受信に対応した輝度調整を含む処理内容を示すフローチャートである。  
その当初においてＣＰＵ１９は、操作部２２からのキー操作信号により電源キーが操作され、本体の電源が投入されるのを待機する（ステップＭ１０１）。
【００４３】
そして電源スイッチが投入されると、ＣＰＵ１９は上記ステップＭ１０１でそれを判断し、以後、入力部１１から入力される画像信号に基づいてマイクロミラー素子１５で対応する画像を表示させ、光源部１６からの光を用いて、所定の明るさで投影レンズ部１８により投影させる投影動作を開始する（ステップＭ１０２）。
【００４４】
所定の明るさは、投影モード毎に初期設定されたものであってもよいし、前回投影終了時に記憶しておいた設定のものであってもよい。
【００４５】
これと共にＣＰＵ１９は、ポイントペン２からアンテナ２６、ポインタ通信部２４を介して照度に関する情報を受信したか否かを判断する（ステップＭ１０３）。
【００４６】
ここでポイントペン２から照度に関する情報を受信していないと判断した場合、ＣＰＵ１９は次に操作部２２からのキー操作信号により電源キーが操作され、本体の電源が切断されたか否かを判断する（ステップＭ１０９）。
【００４７】
ここで電源が切断されていないと判断した場合、ＣＰＵ１９は再び上記ステップＭ１０２からの処理に戻り、以後同様に投影動作を続行しながら、ポイントペン２からの照度に関する情報の受信と電源切断を待機する。
【００４８】
そして、ポイントペン２から照度に関する情報を受信した場合、ステップＭ１０３でそれを判断すると、次にＣＰＵ１９は受信した内容から、ポイントペン２で測定された照度が予め設定したしきい値Ｔｈ１以上であったか否かを判断する（ステップＭ１０４）。  
このしきい値Ｔｈ１は、ポイントペン２を使用するユーザの目を保護する上で必要とされる輝度の代表値、あるいは、ユーザが概ね眩しいであろうと思われる代表値として予め設定される。
【００４９】
しきい値Ｔｈ１以上であった場合、ＣＰＵ１９は次いで防眩用の照度測定を行なう機能の設定がオンとなっているか否かを判断する（ステップＭ１０７）。
【００５０】
ここで当該機能がオンとなっていると判断した場合にのみ、ＣＰＵ１９は投影レンズ部１８より投影する画像の輝度を予め規定した度合い、例えば１／８だけ低下するように設定する（ステップＭ１０８）。
【００５１】
このとき投影輝度を低下する度合いについては、例えば投影レンズ部１８でのフォーカス状態からスクリーンＳＣまでの距離を参照し、あるいはプレゼンテーションモードやシアターモード、などその時点で選択されている投影モード等を参照して加減設定するものとしてもよい。
【００５２】
このように、ステップＭ１０８では、照度が明るい場合に、暗くするという負の相関動作を行う。
【００５３】
そして、ユーザの目を保護するという観点で照度が検出できればよいので、検出には、詳細な値は要求されず、ポイントペン２からデータプロジェクタ装置１に送られる情報は、眩しい照度であるかないかという１ビットの情報でも済む。
【００５４】
また輝度の低下に関しては、光源部１６で発光素子を駆動する電力を低下させることで光源の光自体の輝度を低下させるものとしてもよいし、または光源の光の輝度をあえて変えることなく、投影処理部１４がマイクロミラー素子１５で表示する画像の階調を低下させるものとしてもよい。
【００５５】
上記前者の光源の光の輝度を低下させる方法を採った場合、輝度の低下に伴って電力消費を下げることができる。  
一方、上記後者の表示階調を低下させる方法を採った場合、光源部１６で使用する発光素子によっては高圧水銀灯のように低輝度側の調整が困難な素子の場合、あるいは発光色毎に異なる複数の発光素子を用いており、駆動電力を変えることで色バランスが崩れる虞がある場合でも、例えばビットシフトのような簡易な処理により、きわめて容易、且つ細かい調整幅で対処することが可能となる。
【００５６】
上記ステップＭ１０８での処理の実行後、及び上記ステップＭ１０７で防眩用の照度測定を行なう機能の設定がオンとなっていないと判断した場合、上記ステップＭ１０９に進んで電源が切断されていないか否かを判断し、切断されていなければ上記ステップＭ１０２からの処理に戻る。
【００５７】
また上記ステップＭ１０４で、ポイントペン２で測定された照度が予め設定したしきい値Ｔｈ１未満であったと判断した場合、ＣＰＵ１９は次いで投影環境対応用照度測定機能の設定がオンとなっているか否かを判断する（ステップＭ１０５）。
【００５８】
この投影環境対応用照度測定機能は、データプロジェクタ装置１が設置されている環境自体の照度、すなわち照明がついている環境であるか、照明のない暗室等の環境であるかなどによってデータプロジェクタ装置１が投影する画像の輝度を対応させて制御する機能である。
【００５９】
しかして当該機能の設定がオンとなっていると判断した場合にのみ、ＣＰＵ１９は投影環境に応じた投影輝度の調整処理を実行する（ステップＭ１０６）。  
この投影輝度の調整処理に関しては、正の相関関係、すなわち投影環境が明るい場合にはデータプロジェクタ装置１で投影する画像の輝度もより明るく、反対に投影環境が暗ければデータプロジェクタ装置１で投影する画像もそれほど輝度を上げないように制御する。
【００６０】
この制御の内容に関しては、実際にポイントペン２から送られてきた照度に関する情報の値に従い、量子化のビット数で２ビット以上、すなわち４段階以上の制御ステップで投影輝度を環境の明るさに比例して段階的に設定するものとする。
【００６１】
この輝度の細かな調整に関しても、光源部１６で発光素子を駆動する電力を調整させることで光源の光自体の輝度を調整させるものとしてもよいし、または光源の光の輝度をあえて変えることなく、投影処理部１４がマイクロミラー素子１５で表示する画像の階調を調整させるものとしてもよい。
【００６２】
上記前者の光源の光の輝度を調整させる方法を採った場合、調整の低下に伴って効率的に電力消費を抑えることができる。  
一方、上記後者の表示階調を調整させる方法を採った場合、光源部１６で使用する発光素子によっては高圧水銀灯のように調整が困難な素子の場合、あるいは発光色毎に異なる複数の発光素子を用いており、駆動電力を変えることで色バランスが崩れる虞がある場合でも、例えばビットシフトのような簡易な処理により、きわめて容易、且つ細かい調整幅で対処することが可能となる。
【００６３】
上記ステップＭ１０６での処理の実行後、及び上記ステップＭ１０５で投影環境対応用照度測定機能の設定がオンとなっていないと判断した場合、上記ステップＭ１０９に進んで電源が切断されていないか否かを判断し、切断されていなければ上記ステップＭ１０２からの処理に戻る。
【００６４】
また上記ステップＭ１０９で電源が切断されたと判断した場合、ＣＰＵ１９はその時点で投影処理部１４によるマイクロミラー素子１５での画像の表示と光源部１６の発光をそれぞれ停止させることで投影動作を取りやめた後（ステップＭ１１０）、各モード設定状態等の更新記憶などの後処理を実行し（ステップＭ１１１）、以上でデータプロジェクタ装置１側の電源を切断した上で、次の電源投入に備えて上記ステップＭ１０１からの処理に戻る。
【００６５】
次に図５を用いてポイントペン２１側でスクリーンＳＣ上のポイント位置の座標検出と平行して実行される照度測定に関する動作について説明する。
【００６６】
以下に示すポイントペン２側での動作はＣＰＵ３４の制御に基づいて実行される。ＣＰＵ３４はプログラムメモリ３６に記憶されている動作プログラムやデータを読出し、メインメモリ３５に展開して記憶させた上で該動作プログラムを実行する。
【００６７】
プログラムメモリ３６に記憶されている動作プログラム等は、このポイントペン２が付属したデータプロジェクタ装置１の製造工場出荷時にプログラムメモリ３６に記憶されていたものに加え、例えばこのデータプロジェクタ装置１、あるいはポイントペン２のバージョンアップに際して新たな動作プログラム等をインストールしたものも含む。
【００６８】
図５は、電源投入と照度の測定を含む処理内容を示すフローチャートである。  
その当初においてＣＰＵ３４は、キー操作部３７からのキー操作信号により電源キーが操作され、電源が投入されるのを待機する（ステップＳ１０１）。
【００６９】
そして電源スイッチが投入されると、ＣＰＵ３４は上記ステップＳ１０１でそれを判断し、次にその時点で防眩用照度測定機能の設定がオンとなっているか否かを、プロジェクタ通信部４０、アンテナ４１を介してデータプロジェクタ装置１側とのデータの送受により確認する（ステップＳ１０２）。
【００７０】
ここで防眩用照度測定機能の設定がオンとなっていると判断した場合、ＣＰＵ３４は照度センサ３８での測定動作を開始させる（ステップＳ１０３）。
【００７１】
照度センサ３８での測定値を受信したＣＰＵ３４は、測定した照度センサ３８での照度が予め設定した上記しきい値Ｔｈ１以上であるか否かを判断する（ステップＳ１０４）。
【００７２】
ここで予め設定した上記しきい値Ｔｈ１以上であると判断した場合、ＣＰＵ３４は次に測定した照度がしきい値Ｔｈ１を超えていることを示す量子化ビット数で１ビットの情報を、照度の測定結果としてプロジェクタ通信部４０、アンテナ４１を介してデータプロジェクタ装置１側に送信する（ステップＳ１０５）。
【００７３】
この場合、上述した如く照度測定の結果として送信する情報は、ユーザの目を保護するという観点で、単に一定以上の照度であるという情報であり、データプロジェクタ装置１の投影範囲内に位置しているユーザにとって眩しいものであることを示す、単純な１ビットの情報で済む。
【００７４】
そして、ユーザの目を保護するという観点で、一定未満の照度である場合は、特にデータプロジェクタ装置１に照度情報を送信することなく、バッテリをセーブすることができる。
【００７５】
この送信処理後、ＣＰＵ３４は次にキー操作部３７からのキー操作信号により電源キーが操作され、ポイントペン２の電源が切断されたか否かを判断する（ステップＳ１０６）。
【００７６】
ここで電源が切断されていないと判断した場合、ＣＰＵ３４は再び上記ステップＳ１０２からの処理に戻り、以後同様に測定動作を続行する。
【００７７】
また上記ステップＳ１０２で防眩用照度測定機能の設定がオンとはなっていないと判断した場合、及び上記ステップＳ１０４で測定した照度センサ３８での照度が予め設定した上記しきい値Ｔｈ１未満であると判断した場合、ＣＰＵ３４は次にデータプロジェクタ装置１側で投影環境対応用照度測定機能の設定がオンとなっているか否かをプロジェクタ通信部４０、アンテナ４１を介してデータプロジェクタ装置１側と通信することで判断する（ステップＳ１０７）。
【００７８】
これは、データプロジェクタ装置１側と通信することなく、判断するようにしてよい。
【００７９】
ここで投影環境対応用の照度測定機能の設定がオンとなっていると判断すると、ＣＰＵ３４は次に予め設定された照度測定のタイミング、例えば６０［秒］が経過するのを待機し（ステップＳ１０８）、当該タイミングとなったことを確認した上で、照度センサ３８での詳細な測定動作を実行する（ステップＳ１０９）。
【００８０】
このときＣＰＵ３４は、量子化のビット数で２ビット以上、すなわち４段階以上の分解能でポイントペン２がおかれている環境の照度を測定し、測定した照度に関する情報をデータ化してプロジェクタ通信部４０、アンテナ４１を介してデータプロジェクタ装置１側へ送信する（ステップＳ１１０）。
【００８１】
ここでの照度情報は、上記のユーザの目を保護するという観点で照度のしきい値Ｔｈ１よりも値の小さいレンジの照度であり、投影環境対応用の情報として、２ビット以上の情報であることが望ましいが、１ビット情報であってはいけないということではない。
【００８２】
このステップＳ１１０での送信処理後、及び上記ステップＳ１０７で投影環境対応用の照度測定機能の設定がオンとはなっていないと判断した場合、上記ステップＳ１０６に進んで電源が切断されていないか否かを判断し、切断されていなければ上記ステップＳ１０２からの処理に戻る。
【００８３】
なお、このステップＳ１０８は、ステップＳ１０７の後にある例で説明したが、ステップＳ１０９、Ｓ１１０の後にあるようにしてもよい。
【００８４】
また上記ステップＳ１０６で電源が切断されたと判断した場合、ＣＰＵ３４はその時点でスクリーンＳＣ上のポイント位置の座標検出と上記照度の測定処理をそれぞれ停止し（ステップＳ１１１）、合わせてプロジェクタ通信部４０、アンテナ４１によるデータプロジェクタ装置１側との通信機能も停止した後（ステップＳ１１２）、以上でスリープ状態に移行し、次の電源投入に備えて上記ステップＳ１０１からの処理に戻る。
【００８５】
以上詳述した如く本実施形態によれば、ポイントペン２を使用するような投影状態、すなわちプレゼンテーションを行なうユーザが投影範囲内に入る場合を容易に判断して適切な防眩処理を実行することが可能となる。
【００８６】
また上記実施形態では、防眩処理が必要であると考えられる予め設定された照度を超えている場合にのみポイントペン２からデータプロジェクタ装置１に送信処理を実行するものとしたので、投影補助装置としてバッテリ駆動で動作するポイントペン２側の無駄な電力消費を避け、限られた電力を有効に利用できる。
【００８７】
また上記実施形態では、測定した照度が予め設定された値を超えていないと判断した場合、より詳細な照度の度合いを判断してデータプロジェクタ装置１側に知らせるものとしたので、単に防眩に対する処理を行なう場合のみならず、投影環境に対応したきめ細かなデータプロジェクタ装置１側での輝度調整に寄与できる。
【００８８】
特に詳細な照度測定に関しては、投影システムとしての性格上、ユーザの目を保護するという観点とは異なり、それほど高い頻度で投影環境の明るさが変化することはないと考えられるので、比較的長い時間周期の設定により照度の測定と測定結果の送信タイミングを制御することにより、電源消費を抑えることができるものとしながら、周期的な測定により投影環境が変化した場合には確実にそれを判断できるものとした。
【００８９】
なお上記実施形態では、ユーザが任意に選択可能な防眩用照度測定の機能の設定の有無により、必要に応じて防眩の判断を行なうものとしたので、ユーザの意向に応じた防眩処理が実行できる。
【００９０】
同様にユーザが任意に選択可能な投影環境対応用の照度測定機能の設定の有無により、必要に応じてより詳細な照度測定を行なって、データプロジェクタ装置１での発光輝度の制御を行なうものとしたので、ユーザの意向に応じた投影環境対応の輝度調整処理が実行できる。
【００９１】
また上記実施形態では、投影環境対応の輝度調整について、正の相関関係、すなわち投影環境が明るい場合にはデータプロジェクタ装置１で投影する画像の輝度もより明るく、反対に投影環境が暗ければデータプロジェクタ装置１で投影する画像もそれほど輝度を上げないように制御するものとしたので、投影環境に合わせたユーザの操作を不要としながら常に見易い画像投影が実現できる。
【００９２】
その際、上記実施形態では輝度調整を２ビット、４段階以上であるものとして段階的に実行するものとしたので、投影環境に応じたきめ細やかで適切な輝度調整が実現できる。
【００９３】
なお上記実施形態では、データプロジェクタ装置１を用いたプレゼンテーションの補助装置としてポイントペン２を用いる場合について説明したが、本発明はプレゼンテーションの補助装置としてポイントペンに限定するものではなく、他にもプレゼンテーションを行なうユーザが身につける補助装置、例えば拡声用のマイクロホンや防眩用のメガネ等にも適用することが可能である。
【００９４】
なお上記実施形態では、データプロジェクタ装置１を用いた投影補助装置としてポイントペン２を用いる場合について説明したが、本発明は投影補助装置としてポイントペンに限定するものではなく、他にもプレゼンテーションを行なうユーザが身につける投影補助装置、例えば、図６（Ａ）に示すような、拡声用のマイクロホン５０や図６（Ｂ）に示すような、防眩用のメガネ６０等にも適用することが可能である。
【００９５】
図６（Ａ）ではマイクロホン５０のユーザが把持した場合に手で隠れないような位置に照度センサ５１を設けると共に、マイクロホン５０本体内にアンテナを含む送信ユニット５２を設ける。
【００９６】
また図６（Ｂ）の防眩用のメガネ６０では、フレームＦＬ中央のブリッジ部分に照度センサ６１を設けると共に、一方のつるの内部にアンテナを含む送信ユニット６２を設けた例を示している。
【００９７】
また上記実施形態はデータプロジェクタ装置１としてＤＬＰ（登録商標）方式のものをもちいる場合について説明したが、本発明はプロジェクタ方式や単板／３板式などプロジェクタ装置の構成を限るものではないことは勿論である。
【００９８】
また上記実施形態はプロジェクタ装置１として、プレゼンテーションに用いられるデータプロジェクタ装置の例で説明したが、映画等の映像用のプロジェクタ装置であってもよいことは勿論である。
【００９９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【０１００】
以下に、本願出願の当初の特許請求の範囲に記載された発明を付記する。  
請求項１記載の発明は、外部の投影装置から照射される光の照度を測定する測定手段と、上記測定手段で測定した照度が、予め設定された値を超えているか否かを判断する判断手段と、上記判断手段で判断した判断結果を上記投影装置に対して送信する送信手段とを具備したことを特徴とする。
【０１０１】
請求項２記載の発明は、上記請求項１記載の発明において、上記送信手段は、上記判断手段が予め設定された値を超えていると判断した場合に上記判断結果を送信することを特徴とする。
【０１０２】
請求項３記載の発明は、上記請求項１または２記載の発明において、上記判断手段により上記測定手段で測定した照度が予め設定された値を超えていないと判断した場合に、上記測定手段で測定した照度に関するより詳細な度合いを検出する検出手段をさらに具備し、上記送信手段は、上記検出手段で検出した照度に関するより詳細な度合いを示す照度情報を送信することを特徴とする。
【０１０３】
請求項４記載の発明は、上記請求項３記載の発明において、上記検出手段による検出の実行タイミングか否かを判定するタイミング判定手段をさらに具備し、上記検出手段は、上記タイミング判定手段の判定にしたがって照度に関するより詳細な度合いを検出することを特徴とする。
【０１０４】
請求項５記載の発明は、上記請求項４記載の発明において、上記送信手段は、上記検出手段が上記タイミング判定手段での判定にしたがって照度に関するより詳細な度合いを検出した場合に、当該照度情報を送信することを特徴とする。
【０１０５】
請求項６記載の発明は、上記請求項４または５記載の発明において、上記タイミング判定手段は、予め設定された周期に基づいて上記検出手段による検出の実行タイミングか否かを判定することを特徴とする。
【０１０６】
請求項７記載の発明は、上記請求項１乃至６何れか記載の発明において、上記判断手段による判断の実行条件を設定する第１の設定手段をさらに具備し、上記判断手段は、上記第１の設定手段が設定した条件に合致する場合に上記測定手段で測定した照度が、予め設定された値を超えているか否かを判断することを特徴とする。
【０１０７】
請求項８記載の発明は、上記請求項３乃至６何れか記載の発明において、上記検出手段による判断の実行条件を設定する第２の設定手段をさらに具備し、上記検出手段は、上記第２の設定手段が設定した条件に合致する場合に上記測定手段で測定した照度に関するより詳細な度合いを判断することを特徴とする。
【０１０８】
請求項９記載の発明は、画像信号を入力する入力手段と、光源が発する光を用い、上記入力手段で入力した画像信号に対応した画像を投影する投影手段と、外部装置から輝度の低下に関する情報を受信する受信手段と、上記受信手段で受信した情報が上記投影手段で投影する画像の輝度の低下を指示するものか否かを判定する低下判定手段と、上記低下判定手段での判定結果に基づいて上記投影手段で投影する画像の輝度を低下させる輝度低下手段とを具備したことを特徴とする。
【０１０９】
請求項１０記載の発明は、上記請求項９記載の発明において、上記輝度低下手段は、上記投影手段の光源の発光輝度を低下させることを特徴とする。
【０１１０】
請求項１１記載の発明は、上記請求項９または１０記載の発明において、上記輝度低下手段は、上記投影手段で投影する画像の階調値により輝度を低下させることを特徴とする。
【０１１１】
請求項１２記載の発明は、上記請求項９乃至１１何れか記載の発明において、上記受信手段で受信した情報から上記投影手段で画像を投影する範囲内の照度に対応した正の相関関係に基づいて上記投影手段で投影する画像の輝度を調整する輝度調整手段をさらに具備したことを特徴とする。
【０１１２】
請求項１３記載の発明は、上記請求項１２記載の発明において、上記輝度調整手段は、上記投影手段で投影する画像の輝度を段階的に調整することを特徴とする。
【０１１３】
請求項１４記載の発明は、上記請求項１２または１３記載の発明において、上記輝度調整手段は、上記投影手段の光源の発光輝度を調整することを特徴とする。
【０１１４】
請求項１５記載の発明は、上記請求項１２乃至１４何れか記載の発明において、上記輝度調整手段は、上記投影手段で投影する画像の階調値により輝度を調整することを特徴とする。
【０１１５】
請求項１６記載の発明は、上記請求項９乃至１５何れか記載の発明において、上記輝度低下手段による投影画像の輝度の低下の有効または無効を設定する第１の設定手段をさらに具備したことを特徴とする。
【０１１６】
請求項１７記載の発明は、上記請求項１２乃至１５何れか記載の発明において、上記輝度調整手段による投影画像の輝度の調整の有効または無効を設定する第２の設定手段をさらに具備したことを特徴とする。
【０１１７】
請求項１８記載の発明は、画像信号を入力する入力手段、光源が発する光を用い、上記入力手段で入力した画像信号に対応した画像を投影する投影手段、外部装置から輝度の低下に関する情報を受信する受信手段、上記受信手段で受信した情報が上記投影手段で投影する画像の輝度の低下を指示するものか否かを判定する低下判定手段、及び上記低下判定手段での判定結果に基づいて上記投影手段で投影する画像の輝度を低下させる輝度低下手段を備えた投影装置と、上記投影装置から照射される光の照度を測定する測定手段、上記測定手段で測定した照度が、予め設定された値を超えているか否かを判断する判断手段、及び上記判断手段で判断した判断結果を上記投影装置に対して送信する送信手段を備えた投影補助装置とを有したことを特徴とする。
【符号の説明】
【０１１８】
１…データプロジェクタ装置、２…ポイントペン、１１…入力部、１２…ＵＳＢインタフェース（Ｉ／Ｆ）、１３…画像変換部、１４…投影処理部、１５…マイクロミラー素子、１６…光源部、１７…ミラー、１８…投影レンズ部、１９…ＣＰＵ、２０…メインメモリ、２１…プログラムメモリ、２２…操作部、２３…音声処理部、２４…ポインタ通信部、２５…スピーカ部、２６…アンテナ、３１…受光レンズ部、３２…受光センサ、３３…受光復調部、３４…ＣＰＵ、３５…メインメモリ、３６…キー操作部、３７…キー操作部、３８…照度センサ、４０…プロジェクタ通信部、４１…アンテナ、５０…マイクロホン、５１…照度センサ、５２…送信ユニット、６０…防眩用メガネ、６１…照度センサ、６２…送信ユニット、ＦＬ…（メガネの）フレーム、ＰＴ…ポインタマーク、ＳＢ１，ＳＢ２…システムバス、ＳＣ…スクリーン。
【図１】
2013195837.tif 000003
【図２】
2013195837.tif 000004
【図３】
2013195837.tif 000005
【図４】
2013195837.tif 000006
【図５】
2013195837.tif 000007
【図６】
2013195837.tif 000008